(57)【特許請求の範囲】
【請求項１】
クリップ本体と蓋体とがヒンジによって結合されているとともに、クリップ本体と蓋体とを合わせることにより、これら相互が前記ヒンジの反対側で係合状態に保持されるように構成され、クリップ本体と蓋体との合わせ部には、収容部がそれぞれ形成され、クリップ本体における収容部の両側にはリブが形成されているとともに、蓋体における収容部の両側には押さえ部が形成され、クリップ本体における収容部の一方側には二つのリブと、両リブの間に位置する凹部とが形成され、蓋体における収容部の一方側には二つの押さえ部と、両押さえ部の間に位置する突片とが形成され、収容部に電線の接続部を入れてクリップ本体と蓋体とを互いに合わせたときに、リブと押さえ部とにより、接続部の両側において電線の外周を把持するとともに、二つのリブ間の凹部に二つの押さえ部間の突片が差し込まれるように構成されていることを特徴とする電線接続部用保護クリップ。
【発明の詳細な説明】
【０００１】
【発明の属する技術分野】
本発明は、例えば自動車用ワイヤハーネスにおける電線の何本かを分岐などの目的で別の電線と接続した場合に、その接続部を電気的に絶縁した状態で保護するための電線接続部用保護クリップに関する。
【０００２】
【従来の技術】
このように電線の接続部を絶縁して保護する技術の一例が図１０に示されている。この技術では、まず図１０（Ａ）で示すように電線５０と分岐用の電線５２との接続部５４に熱収縮性の素材からなる絶縁チューブ６０を被せる。そしてこの絶縁チューブ６０を加熱することにより、図１０（Ｂ）で示すように収縮させて前記接続部５４を電気的に絶縁すると同時に保護している。
【０００３】
【発明が解決しようとする課題】
ところが前記絶縁チューブ６０の取り付けは、この絶縁チューブ６０に電線５０の一端を挿入し、かつ絶縁チューブ６０を前記接続部５４に向けて移動させるといった手間を要し、しかもその後に絶縁チューブ６０を前記のように加熱する作業も必要である。また前記絶縁チューブ６０で保護した後であっても、前記接続部５４に大きな引っ張り力が加わると、絶縁チューブ６０が破断されるだけでなく、接続部５４がちぎれてしまう場合もある。
【０００４】
本発明の目的は、ワンタッチで電線の接続部を電気的に絶縁すると同時に各電線の外周を把持してそれぞれの位置決めを果たすことにより、電線の接続部を絶縁して保護する作業の簡素化を図り、また接続部に加わる引っ張り力に対しても接続状態の保持を可能とすることである。
【０００５】
【課題を解決するための手段】
請求項１記載の発明は、クリップ本体と蓋体とがヒンジによって結合されているとともに、クリップ本体と蓋体とを合わせることにより、これら相互が前記ヒンジの反対側で係合状態に保持されるように構成され、クリップ本体と蓋体との合わせ部には、収容部がそれぞれ形成され、クリップ本体における収容部の両側にはリブが形成されているとともに、蓋体における収容部の両側には押さえ部が形成され、クリップ本体における収容部の一方側には二つのリブと、両リブの間に位置する凹部とが形成され、蓋体における収容部の一方側には二つの押さえ部と、両押さえ部の間に位置する突片とが形成され、収容部に電線の接続部を入れてクリップ本体と蓋体とを互いに合わせたときに、リブと押さえ部とにより、接続部の両側において電線の外周を把持するとともに、二つのリブ間の凹部に二つの押さえ部間の突片が差し込まれるように構成されていることを特徴とする。
【０００６】
この構成によれば、クリップ本体と蓋体とを、これら相互の収容部に電線の接続部を入れた後にワンタッチで係合状態とすることにより、電線の接続部が電気的に絶縁されるとともに、接続部の両側に位置する電線の外周がリブと押さえ部とによって把持される。このため、電線に加わる引っ張り力に対して充分に持ちこたえ、電線の接続状態を適正に保持する。しかも、クリップ本体と蓋体とを合わせて係合させたときに、クリップ本体の凹部に蓋体の突片が差し込まれ、この突片が二つのリブに対するクサビ効果を果たし、この箇所での電線の把持力が高められる。
【０００８】
【発明の実施の形態】
以下、本発明の実施の形態を説明する。
図１は保護クリップを表した外観斜視図、図２は同じく保護クリップを表した平面図、図３は図２の左側面図、図４は同じく図２の右側面図である。これらの図面で示すように保護クリップは、主としてクリップ本体１０と蓋体３０とから構成され、これらの相互は薄肉のヒンジ２０によって結合されている。すなわちこの保護クリップは樹脂材による一体成型品であって、前記ヒンジ２０の弾性（可撓性）によりクリップ本体１０と蓋体３０とを互いに合わせることができるようになっている。
【０００９】
図５は図２のＡ−Ａ線断面図、図６は同じく図２のＢ−Ｂ線断面図、図７は同じく図２のＣ−Ｃ線断面図である。これらの図面からも明らかなように、前記クリップ本体１０及び蓋体３０におけるそれぞれの中央部には、その大部分の領域にわたって凹形状の収容部１２，３２が形成されている。そしてクリップ本体１０における収容部１２の一方側（図２の右側）中央で、この収容部１２を開放させるように半円弧状にへこませた部分の内部には一つのリブ１４が形成されている。また収容部１２の他方側（図２の左側）の開放部には、二つのリブ１６が並列に形成されている。なおこれらの両リブ１６の間には凹部１８が形成されている。
【００１０】
一方、前記蓋体３０における収容部３２の一方側（図２の右側）中央には、この収容部３２を開放させるように半円弧状にへこませた一つの押さえ部３４が形成されている。さらにこの収容部３２の他方側（図２の左側）には、同じように半円弧状にへこませた二つの押さえ部３６が並列に形成されている。これらの両押さえ部３６の間には突片３８が形成されている。
【００１１】
前記クリップ本体１０のリブ１４，１６と前記蓋体３０の押さえ部３４，３６とは、前記のようにヒンジ２０の可撓性によってクリップ本体１０と蓋体３０とを互いに合わせたときに、個々の位置が合致するように設定されている。またこのときにクリップ本体１０の前記凹部１８に蓋体３０の前記突片３８が差し込まれるようになっている。しかもクリップ本体１０及び蓋体３０には、ヒンジ２０の反対側において係合孔１９と係合爪３９とがそれぞれ形成されている。
【００１２】
つづいて前記のように構成された保護クリップの使用について説明する。
この実施の形態では図８で示すように電線５０に分岐用の電線５２が接続されたものを対象とし、その接続部５４を前記クリップ本体１０の収容部１２に位置させる。このとき、電線５０については前記一つのリブ１４と二つ並列のリブ１６のうちの一方との上にそれぞれ位置させ、かつ電線５２はリブ１６のうちの他方の上に位置させておく。
【００１３】
この状態で図９で示すように前記蓋体３０とクリップ本体１０とを互いに接合させると、クリップ本体１０の前記係合孔１９に蓋体３０の前記係合爪３９が係合する。これと同時に前記の各リブ１４，１６上に位置している電線５０，５２の外周が、これらのリブ１４，１６と蓋体３０の各押さえ部３４，３６とによって局部的に挟み付けられた状態で把持される。しかも前記リブ１６の間の凹部１８に蓋体３０の突片３８が差し込まれることにより、この突片３８が両リブ１６に対するクサビ効果を果たし、この箇所での電線５０，５２の把持力がより高められる。
【００１４】
このように前記クリップ本体１０の各リブ１４，１６と、前記蓋体３０における各押さえ部３４，３６とにより、これらのクリップ本体１０と蓋体３０との合わせ部において前記電線５０，５２の外周をそれぞれ把持する「クランプ部」が構成されている。なお各リブ１４，１６と各押さえ部３４，３６との関係は相対的なものであり、クリップ本体１０が押さえ部３４，３６を備え、蓋体３０がリブ１４，１６を備えた構成も当然可能である。
【００１５】
本実施の形態においては、前記クリップ本体１０と蓋体３０とをワンタッチで図９で示す状態に接合させることができ、これによって電線５０，５２の接続部５４を電気的に絶縁すると同時に前記リブ１４，１６と押さえ部３４，３６とにより電線５０，５２の外周を把持してその位置決めを果たすことができる。したがって前記接続部５４を適正に保護できるのはもちろんのこと、電線５０，５２に加わる引っ張り力に対しても前記接続部５４がちぎれるといった事態を防止できる。
【図面の簡単な説明】
【図１】保護クリップを表した外観斜視図。
【図２】同じく保護クリップを表した平面図。
【図３】図２の左側面図。
【図４】同じく図２の右側面図。
【図５】図２のＡ−Ａ線断面図。
【図６】同じく図２のＢ−Ｂ線断面図。
【図７】同じく図２のＣ−Ｃ線断面図。
【図８】保護クリップの使用状態を表した外観斜視図。
【図９】同じく保護クリップの使用状態を表した外観斜視図。
【図１０】電線の接続部を絶縁して保護する従来技術の一例を表した外観斜視図。
【符号の説明】
１０  クリップ本体
１４，１６  リブ（クランプ部）
２０  ヒンジ
３０  蓋体
３４，３６  押さえ部（クランプ部）
５０，５２  電線
５４  接続部
【図１】
0003727432.tif 000002
【図２】
0003727432.tif 000003
【図３】
0003727432.tif 000004
【図４】
0003727432.tif 000005
【図５】
0003727432.tif 000006
【図６】
0003727432.tif 000007
【図７】
0003727432.tif 000008
【図８】
0003727432.tif 000009
【図９】
0003727432.tif 000010
【図１０】
0003727432.tif 000011